(57)【要約】【課題】  ハートカムの代わりに用いられ得るクロノグラフ指針の帰零機構及びこれを備えたクロノグラフ時計を提供すること【解決手段】  クロノグラフ時計のクロノグラフ真帰零機構１は、クロノグラフ指針が取付けられるクロノグラフ真３１に一体的に形成された螺旋状壁部３２と、該螺旋状壁部３２に係合する係合部４３を介して該螺旋状壁部３２をクロノグラフ真３１の軸線方向Ｆ１に押圧する押圧帰零手段とを有する。ここで、押圧帰零手段は、前記係合部４３で螺旋状壁部に係合した係合レバー４０と、該係合レバー４０を押圧する押圧力付与部８６を備えた復針レバー８０とを有する。係合レバー４０は、細長い平板状の係合レバー本体部４１を有し、係合レバーの前記係合部４３が該係合レバー本体部４１から突出した断面円形のピン状体からなる。【選択図】  図３
2009186259.tif 000002
【特許請求の範囲】
【請求項１】
クロノグラフ指針が取付けられるクロノグラフ真に一体的に形成された螺旋状壁部と、
該螺旋状壁部に係合する係合部を介して該螺旋状壁部をクロノグラフ真の軸線方向に押圧する押圧帰零手段とを有するクロノグラフ指針の帰零機構。
【請求項２】
前記押圧帰零手段が、前記係合部を備え該係合部で螺旋状壁部に係合した係合レバーと、該係合レバーを押圧する押圧力付与部を備えた復針レバーとを有する請求項１に記載のクロノグラフ指針の帰零機構。
【請求項３】
前記係合レバーが、細長い平板状の係合レバー本体部を有し、係合レバーの前記係合部が該係合レバー本体部から突出した断面円形のピン状体からなる請求項２に記載のクロノグラフ指針の帰零機構。
【請求項４】
前記係合レバーの係合部の先端部が前記クロノグラフ真の外周面に対して径方向内向きに押付けられている請求項２又は３に記載の帰零機構。
【請求項５】
前記係合レバーの係合部が前記螺旋状壁部に対してクロノグラフ真の延在方向に押付けられている請求項２から４までのいずれか一つの項に記載の帰零機構。
【請求項６】
前記係合部が硬度の高い石からなる請求項２から５までのいずれか一つの項に記載の帰零機構。
【請求項７】
前記復針レバーが、クロノグラフ真の延在方向に対して実際上垂直なレバー本体延在面内で移動可能な復針レバー本体を有し、復針レバーの前記押圧力付与部が、該復針レバー本体から該レバー本体延在面に対して斜め方向に延びている請求項２から６までのいずれか一つの項に記載のクロノグラフ指針の帰零機構。
【請求項８】
復針レバーが、リセットボタンの押圧によって回動される複数の復針レバー伝えを介して、作動されるように構成された請求項７に記載のクロノグラフ指針の帰零機構。
【請求項９】
復針レバーが複数の枝に分岐しており、該枝のうちの少なくとも一つの枝がハートカムを叩いて該ハートカムのある別のクロノグラフ真のクロノグラフ指針を帰零させるように構成された請求項２から８までのいずれか一つの項に記載のクロノグラフ指針の帰零機構。
【請求項１０】
前記螺旋状壁部が、クロノグラフ真に一体的に形成された螺旋状溝の一方の側壁である請求項１から９までのいずれか一つの項に記載のクロノグラフ指針の帰零機構。
【請求項１１】
請求項１から１０までのいずれか一つの項に記載のクロノグラフ指針の帰零機構を備えたクロノグラフ時計。
【発明の詳細な説明】
【技術分野】
【０００１】
本発明は、クロノグラフ時計に係り、より詳しくは、該クロノグラフ時計に用いられるに適したクロノグラフ指針の帰零機構に係る。
【背景技術】
【０００２】
従来のクロノグラフ時計における帰零機構は、典型的には、クロノグラフ真に一体的に取付けられたハートカムとこれを叩くハンマーを備えた復針レバーとを含む（例えば、特許文献１）。復針レバーは、典型的には、リセットボタンの押圧に応じて、複数の復針伝えレバーを介して作動されて、ハートカムを叩き、クロノグラフ真のクロノグラフ指針を復針ないし帰零させる。
【０００３】
しかしながら、ハートカムを用いる場合、該ハートカムをハンマーで叩く必要があることからハートカムが一体的に取付けられるクロノグラフ真に対する負荷が大きくなり、ほぞ曲がり等が生じる虞れがある。また、ハートカムが大きな打撃力を受け得るようにしておく必要があることから、ハートカムの製造及び組込み自体が複雑な工程を要するだけでなく部品としてもコスト高をまねき易い。
【特許文献１】特開２００４−２９４２７９号公報
【発明の開示】
【発明が解決しようとする課題】
【０００４】
本発明は、前記諸点に鑑みなされたものであって、その目的とするところは、ハートカムの代わりに用いられ得るクロノグラフ指針の帰零機構及びこれを備えたクロノグラフ時計を提供することにある。
【課題を解決するための手段】
【０００５】
本発明のクロノグラフ指針の帰零機構は、前記目的を達成すべく、クロノグラフ指針が取付けられるクロノグラフ真に一体的に形成された螺旋状壁部と、該螺旋状壁部に係合する係合部を介して該螺旋状壁部をクロノグラフ真の軸線方向に押圧する押圧帰零手段とを有する。
【０００６】
本発明のクロノグラフ指針の帰零機構では、「螺旋状壁部に係合する係合部を介して該螺旋状壁部をクロノグラフ真の軸線方向に押圧する押圧帰零手段」が設けられているので、該押圧帰零手段が係合部で螺旋状壁部をクロノグラフ真の軸線方向に押圧し、該押圧によりクロノグラフ真が軸線のまわりで回転され、クロノグラフ真に取付けられたクロノグラフ指針が帰零される。このクロノグラフ指針の帰零機構では、ハートカムの場合と異なり、叩かれる必要がなく単に押圧されればよいので、クロノグラフ真の回転支持部すなわちほぞ部やほぞ受に過大な力がかかる虞れが少ない。また、このクロノグラフ指針の帰零機構では、ハートカムを使用しないので、ハートカムの回転領域だけでなく該ハートカムを叩くべく衝撃力を及ぼすための可動部材により占有される動作領域を最低限に抑え得るから、該帰零機構の占有面積を最低限にすることが可能になる。従って、該帰零機構を含む時計の平面的な大きさないし平面形状を最小限に抑えることが可能になる。
【０００７】
螺旋状壁部は、押圧手段の係合部によって押圧された際にクロノグラフ真と一体的に動き得る限り、クロノグラフ真と一体物でできていてもクロノグラフ真とは別体で形成されて該クロノグラフ真に固定されていてもよい。螺旋状壁部は、一端側に向いた螺旋状側面であっても、対向側面を備えた螺旋状溝部であってもよい。
【０００８】
本発明のクロノグラフ指針の帰零機構では、典型的には、前記押圧帰零手段が、前記係合部を備え該係合部で螺旋状壁部に係合した係合レバーと、該係合レバーを押圧する押圧力付与部を備えた復針レバーとを有する。
【０００９】
この場合、係合部で螺旋状壁部に係合した係合レバーの該係合部以外の部分、例えば係合レバー本体部を、復針レバーの押圧力付与部で押圧すればよいので、押圧力の付与が容易且つ確実に行われ得る。また、復針レバーの押圧力付与部は係合レバーの本体部その他の部分に結果的にクロノグラフ真の軸線方向の力を付与できればよいので、復針レバーの押圧力付与部自体は、クロノグラフ真の軸線方向に変位されても、クロノグラフ真の軸線方向の変位成分を備える限り他の種類の変位をするようになっていてもよい。
【００１０】
本発明のクロノグラフ指針の帰零機構では、典型的には、前記係合レバーが、細長い平板状の係合レバー本体部を有し、係合レバーの前記係合部が該係合レバー本体部から突出した断面円形のピン状体からなる。この場合、螺旋状傾斜壁部に対する軸線方向の力がピン状体によって確実に付与され得るだけでなく、該ピン状係合部に対して力を与えるために、係合レバーの本体部に対して力を加え易い。
【００１１】
本発明のクロノグラフ指針の帰零機構では、典型的には、前記係合レバーの係合部の先端部が前記クロノグラフ真の外周面に対して径方向内向きに押付けられている。この場合、クロノグラフ真の回転ムラが係合レバーによって抑制され、該クロノグラフ真に取付けられるクロノグラフ指針の運針ムラも該係合レバーによって抑制され得る。
【００１２】
本発明のクロノグラフ指針の帰零機構では、典型的には、前記係合レバーの係合部が前記螺旋状壁部に対してクロノグラフ真の延在方向に押付けられている。この場合も、クロノグラフ真の回転ムラが係合レバーによって抑制され、該クロノグラフ真に取付けられるクロノグラフ指針の運針ムラも該係合レバーによって抑制され得る。従って、前記係合レバーの係合部が、前記クロノグラフ真の外周面に対して径方向内向きに押付けられ且つ前記螺旋状壁部に対してクロノグラフ真の延在方向に押付けられている場合、クロノグラフ真の回転ムラ及びクロノグラフ指針の運針ムラを一層低減させ得る。
【００１３】
本発明のクロノグラフ指針の帰零機構では、典型的には、前記係合部が硬度の高い石からなる。この場合、大きな応力がかかり易い係合部の耐久性や信頼性が高められ、ひいては、帰零機構の耐久性や信頼性が高められ得る。
【００１４】
また、本発明のクロノグラフ指針の帰零機構では、典型的には、前記復針レバーが、クロノグラフ真の延在方向に対して実際上垂直なレバー本体延在面内で移動可能な復針レバー本体を有し、復針レバーの前記押圧力付与部が、該復針レバー本体から該レバー本体延在面に対して斜め方向に延びている。
【００１５】
この場合、例えば、復針レバーの本体部（復針レバー本体）をクロノグラフ真に対して近接離間されるようにレバー本体延在面内で並進させるだけで、該レバー本体延在面に対して斜め方向に延びた押圧力付与部により係合レバーの係合部を介して螺旋状傾斜壁部に対して軸線方向の押圧力付与し得る。
【００１６】
本発明のクロノグラフ指針の帰零機構では、典型的には、復針レバーが、リセットボタンの押圧によって回動される複数の復針レバー伝えを介して、作動されるように構成される。
【００１７】
この場合、リセットボタンを押すだけで、複数の復針レバー伝えを介して、復針レバーが所定の動作をし得る。この場合、所望ならば、他のクロノグラフ指針がハートカムによって帰零されるように、従来のハートカムを用いた帰零機構と組合わせることも可能である。
【００１８】
本発明のクロノグラフ指針の帰零機構では、典型的には、復針レバーが複数の枝に分岐しており、該枝のうちの少なくとも一つの枝がハートカムを叩いて該ハートカムのある別のクロノグラフ真のクロノグラフ指針を帰零させるように構成される。
【００１９】
この場合、所望に応じて、一部の帰零を本発明の帰零機構に従った螺旋状壁部で行い、他の帰零を従来どおりハートカムによって行うことが可能になる。
【００２０】
本発明のクロノグラフ指針の帰零機構では、典型的には、前記螺旋状壁部が、クロノグラフ真に一体的に形成された螺旋状溝の一方の側壁である。
【００２１】
本発明のクロノグラフ時計は、典型的には、上述のようなクロノグラフ指針の帰零機構を備える。
【００２２】
この場合、ハートカムを用いた従来のクロノグラフ時計よりも、コストや占有スペースを低減させて且つほぞ部やほぞ受部にかかる力を最低限に抑えたクロノグラフ時計が得られる。
【発明を実施するための最良の形態】
【００２３】
本発明の好ましい一実施の形態を添付図面に示した好ましい一実施例に基づいて説明する。
【実施例】
【００２４】
図１及び図２には、本発明の好ましい一実施例のクロノグラフ指針の帰零機構としてのクロノグラフ指針帰零機構１を秒クロノグラフ指針帰零機構として有するクロノグラフ時計２が示され、図３には、クロノグラフ指針帰零機構１の主たる部分が拡大して示されている。
【００２５】
図１からわかるように、クロノグラフ時計２は、時クロノグラフ車１０、分クロノグラフ車２０及び秒クロノグラフ車３０を有すると共に、スタート/ストップボタン５１、リセットボタン５２及び作動カム５３を有する。
【００２６】
時クロノグラフ車１０は、時クロノグラフ真１２や該時クロノグラフ真１２に取付けられた時ハートカム１４及び時クロノグラフ指針（図示せず）を有する。また、分クロノグラフ車２０は、分クロノグラフ真２２や該分クロノグラフ真２２に取付けられた分ハートカム２４及び分クロノグラフ指針（図示せず）を有する。
【００２７】
一方、秒クロノグラフ車３０は、図１の平面説明図に加えて秒クロノグラフ車３０の周辺を縦断面で示した図２及び秒クロノグラフ車３０の帰零機構１の主たる部分を拡大して斜視図で示した図３からわかるように、秒クロノグラフ真３１及び該秒クロノグラフ真３１に取付けられた秒クロノグラフ指針（図示せず）に加えて、該秒クロノグラフ真３１と一体的な螺旋状壁部３２を有する。なお、図２において、５及び６はクロノグラフ地板及びクロノグラフ受、７及び８は筒車及び分車で、３３は秒クロノグラフ歯車である。
【００２８】
螺旋状壁部３２は、秒クロノグラフ真３１の外周に沿って螺旋状に延び該秒クロノグラフ真３１の一端側を向いた側面３４と、該螺旋状側面３４の一方の終端３５において軸線Ｃと平行に延びた当接係止面３６とを有する。螺旋状壁部３２は螺旋状側面３４とこれに対向する螺旋状側面を備えた螺旋状溝部であってもよい。この螺旋状壁部３２は、秒クロノグラフ真３１に対して不動の螺旋状側面３４を与え得る限り、秒クロノグラフ真３１と一体物で形成されていても別体で形成されて該秒クロノグラフ真３１に装着固定されていてもよい。
【００２９】
図１及び図３からわかるように、螺旋状壁部３２には、本体部４１、基端側ばね部４２及び先端側係合部としての係合ピン４３を備えた係合レバー４０の該係合ピン４３が係合している。係合ピン４３は、耐久性や信頼性等の観点からすると、好ましくは、ルビーの如く硬度の高い石ないしセラミック材料からなる。但し、十分な硬度がある限り、金属又は合金からなっていてもよく場合によってはプラスチック材料からなっていてもよい。係合レバー４０は、本体部４１の基端側端部においてピン４４で回動可能にクロノグラフ地板５に取付けられ、且つ基端側ばね部４２のＵ字状に湾曲した端部で、クロノグラフ地板５のピン状突起５ｃに係止されている。従って、係合レバー４０の先端側の係合ピン４３は、基端側ばね部４２のばね力により、クロノグラフ真３１の外周面３７に対して軽く押付けられている。この押付け力は、典型的には、１０ｍＮ〜２０ｍＮの範囲である。これにより、秒クロノグラフ真３１の回転ムラを抑え、秒クロノグラフ指針（図示せず）の運針ムラを抑え得る。なお、係合レバー４０の本体部４１は、例えば、その厚さ方向に多少弾性変形可能な板ばねの形態で、係合ピン４３において螺旋状壁部３２に対して秒クロノグラフ真３１の延在方向（時計の厚さ方向）Ｆ１に軽く弾性的に押付けられている。この弾性的押圧も、秒クロノグラフ真３１の回転ムラを抑え、秒クロノグラフ指針（図示せず）の運針ムラを抑え得る。但し、係合レバー４０の係合ピン４３は、復針レバー８０の腕部８６によるＦ１方向押圧によってはじめて螺旋状壁部３２に押付けられるようになっていてもよい。その場合、係合レバー本体部４１は、厚さ方向に変形され難い剛性を有していてもよい。
【００３０】
螺旋状壁部３２に係合ピン４３で係合した係合レバー４０の本体部４１には、後述するようにＡ１，Ａ２方向に変位される復針レバー８０がその腕部８６の傾斜した先端押さえ部８７で係合可能であり、該復針レバー８０がＡ１方向に変位されると、復針レバー８０の腕部８６が傾斜先端押さえ部８７で係合レバー４０の本体部４１をＦ１方向に押え、係合レバー４０の係合ピン４３を螺旋状壁部３２の螺旋状側面３４に押付ける。
【００３１】
復針レバー８０の腕部８６の傾斜先端押さえ部８７のＡ方向変位によって係合レバー４０の本体部４１にＦ１方向の押圧力がかかると、秒クロノグラフ真３１にＣ１方向の回転トルクがかかり、秒クロノグラフ真３１を備えた秒クロノグラフ車３０がＣ１方向に回転する。この回転方向は、秒クロノグラフ車３０の秒クロノグラフ指針（図示せず）が元に戻る方向すなわち帰零方向である。
【００３２】
以上において、押圧帰零手段３は、係合レバー４０と復針レバー８０とからなる。
【００３３】
図１からわかるように、スタート/ストップボタン５１と作動カム５３との間には、第一及び第二作動レバー５４，５６が設けられ、作動カム５３と時クロノグラフ車１０及び分クロノグラフ車２０との間には時分発停レバー５８が設けられ、作動カム５３と秒クロノグラフ車３０との間には、第一及び第二発停レバー６２，６４並びに停止レバー６６等が設けられている。
【００３４】
一方、リセットボタン５２に関連して、第一及び第二復針伝えレバー７２，７４並びに復針レバー８０が設けられ、時クロノグラフ車１０の時ハートカム１４及び分クロノグラフ車２０の分ハートカム２４、並びに秒クロノグラフ車３０用の係合レバー４０のレバー本体部４１を操作可能になっている。
【００３５】
スタート/ストップボタン５１を押してクロノグラフ動作の開始を指示すると、第一及び第二の作動レバー５４，５６を介して作動カム５３が１ステップだけ回転され、該作動カム５３の回転により第一及び第二発停レバー６２，６４及び時分発停レバー５８を介して秒クロノグラフ車３０、並びに時及び分クロノグラフ車２０，１０の回転を許容する。このとき、秒クロノグラフ車３０のＣ２方向回転に伴う螺旋状壁部３２に回転に応じて、該螺旋状壁部３２に弾性的に軽く押付けられ且つクロノグラフ真３１の外周面に軽く押付けられている係合ピン４３が該螺旋状壁部３２をなぞるように厚さ方向Ｆ２に変位する。なお、係合ピン４３が、螺旋状壁部３２の端部３８に達すると、段差面３６に沿って端部３５に落ちて、秒クロノグラフ車３０のＣ２方向の連続的な回転を許容する。
【００３６】
一方、スタート/ストップボタン５１を再度押してクロノグラフ動作の停止を指示すると、第一及び第二の作動レバー５４，５６を介して作動カム５３が更に１ステップだけ回転され、該作動カム５３の回転により第一及び第二発停レバー６２，６４及び時分発停レバー５８を介して秒クロノグラフ車３０、並びに時及び分クロノグラフ車２０，１０の回転を停止させる。
【００３７】
ここで、スタート/ストップボタン５１の押圧に伴う以上のようなクロノグラフ動作の開始及び停止のための機構及びその動作は、例えば、特許文献１に示したものと同じであり得、この例では、正に同じである。
【００３８】
リセットボタン５２を押圧すると、該リセットボタン５２の押圧に応じて第一及び第二復針伝えレバー７２，７４が順次回動され、これに応じて、復針レバー８０がＡ１方向に並進せしめられる。
【００３９】
この復針レバー８０は、ピン８１で第二復針伝えレバー７４の腕部７５の先端の溝７６６に係合されると共に、案内溝８２及び該案内溝８２と平行に延びた案内用長孔８３でクロノグラフ地板の如き静置支持体５に突設されたピン５ａ，５ｂに係合されていて、リセットボタン５２のＢ１方向の押圧に伴う第二復針伝えレバー７４のＤ１方向回動に応じた該第二復針伝えレバー７４の腕部７５のＥ１方向揺動に応じて、案内溝８２及び案内孔８３の延在方向に沿ってＡ１方向に変位される。なお、ピン５ｂが、復針レバー８０の案内孔８３の周壁がＦ２方向に変位されるのを抑えるフランジ状係止部を備えていてもよい。
【００４０】
復針レバー８０は、案内溝８２のある本体部８３に加えて該本体部８３と一体的な三つの腕部８４，８５，８６を備える。腕部８４は、Ａ１方向変位に際して時復針用ハンマー部として働く先端部８４ａで時ハートカム１４を叩き、腕部８５は、Ａ１方向変位に際して分復針用ハンマー部として働く先端部８５ａで分ハートカム２４を叩いて、時クロノグラフ車１０及び分クロノグラフ車２０を帰零させる。
【００４１】
一方、腕部８６は、Ａ１方向変位に際して、秒復針レバー部として先端の斜めに延びた押さえ部８７で係合レバー４０の本体部４１を時計１の厚さ方向Ｆ１（図２等参照）に押圧して、係合レバー４０の係合ピン４３が螺旋状壁部３２の終端側面３６に当接するまで、秒クロノグラフ車３０をＣ１方向に回転させ、係合ピン４３と側面３６との当接の達成により帰零を完了させる。
【００４２】
ここで、秒クロノグラフ車３０の帰零機構１は、ハートカムなしで、ハートカムを用いる場合と同様な復針伝えレバー７２，７４に連結された復針レバー８０及び係合レバー４０によってクロノグラフ車３０の帰零を行わせ得る。
【００４３】
従って、このクロノグラフ車の帰零機構１及び該帰零機構１を備えたクロノグラフ時計２では、ハートカムの利用を最低限に抑えることによりコストを最低限に抑え得るだけでなく、秒クロノグラフ車３０の帰零のための力を最低限に抑え得るから、秒クロノグラフ真３１のほぞ部やそのほぞ受部に過度の力が加わる虞れを最低限に抑え得る。
【００４４】
即ち、このクロノグラフ指針の帰零機構１では、螺旋状壁部３２に係合する係合部４３を介して該螺旋状壁部３２をクロノグラフ真３１の軸線方向Ｆ１に押圧する押圧帰零手段３として、係合レバー４０及び復針レバー８０が設けられているので、該押圧帰零手段３の係合レバー４０が係合部４３で螺旋状壁部３２をクロノグラフ真３１の軸線方向Ｆ１に押圧し、該押圧によりクロノグラフ真３１が軸線ＣのまわりでＣ１方向に回転され、クロノグラフ真３１に取付けられたクロノグラフ指針（図示せず）が帰零される。このクロノグラフ指針の帰零機構で１は、ハートカムの場合と異なり、叩かれる必要がなく単に押圧されればよいので、クロノグラフ真３１の回転支持部すなわちほぞ部やほぞ受に過大な力がかかる虞れが少ない。また、このクロノグラフ指針の帰零機構１では、ハートカムを使用しないので、ハートカムの回転領域だけでなく該ハートカムを叩くべく衝撃力を及ぼすための可動部材により占有される動作領域を最低限に抑え得るから、該帰零機構１の占有面積を最低限にすることが可能になる。従って、該帰零機構１を含む時計２の平面的な大きさないし平面形状を最小限に抑えることが可能になる。
【００４５】
以上において、復針レバー８０の腕部８６の傾斜先端部８７及び係合レバー４０並びに秒クロノグラフ車３０の螺旋状壁部３２以外の部分は、特許文献１の帰零機構と同じであり得、この例では正に同じである。但し、この帰零機構１では、リセットボタン５２の押圧に応じて係合レバー４０等による螺旋状壁部３２等の厚さ方向Ｆ１の押圧を行わせればよいので、ハートカムを叩くためのハンマーを作動させる場合よりもコンパクトなレバーの組合せにしてもよい。
【００４６】
なお、このクロノグラフ時計２では、説明の簡明化のために、従来、秒ハートカムが使われていた部分をそのまま係合レバー４０と螺旋状壁部３２とで代替すると共に復針レバー８０のうち秒ハートカムを叩く腕部を係合レバー４０を押し下げる腕部８６に代替した例に付いて説明したけれども、時クロノグラフ車１０の時ハートカム１４及び分クロノグラフ車１０の分ハートカム２４もこの帰零機構１と同様な帰零機構で代替され得る。その場合、リセットスイッチ５２のＢ１方向押圧動を復針レバー８０のＡ１方向変位に変換し得る限り、復針伝えレバー７２，７４等を他の構造で代替し得る。なお、リセットスイッチ５２のＢ１方向押圧に応じて係合レバー４０の本体部４１をＦ１方向に押圧し得る限り、復針レバー８０も他の構造で代替され得る。クロノグラフ時計２の帰零機構１では、帰零のためにハートカムを叩くような大きな衝撃力を加える必要がないので、リセットスイッチ５２と係合レバー４０とをつなぐ変位機構の構造を簡単化し且つその動作を確保するための占有スペースを最低限に抑え、平面的な大きさ乃至平面形状を最小限に抑えることが可能になる。
【図面の簡単な説明】
【００４７】
【図１】本発明の好ましい一実施例のクロノグラフ指針の帰零機構としての秒クロノグラフ指針帰零機構を備えた本発明の好ましい一実施例のクロノグラフ時計の平面説明図。
【図２】図１のクロノグラフ時計のうち秒クロノグラフ指針帰零機構及びその周辺部分の断面説明図。
【図３】図１のクロノグラフ時計のうち秒クロノグラフ指針帰零機構の拡大斜視説明図。
【符号の説明】
【００４８】
１  秒クロノグラフ指針帰零機構（クロノグラフ指針の帰零機構）
２  クロノグラフ時計
３  押圧帰零手段
５  クロノグラフ地板
６  クロノグラフ受
７  筒車
８  分車
１０  時クロノグラフ車
１２  時クロノグラフ真
１４  時ハートカム
２０  分クロノグラフ車
２２  分クロノグラフ真
２４  分ハートカム
３０  秒クロノグラフ車
３１  秒クロノグラフ真
３２  螺旋状壁部
３３  秒クロノグラフ歯車
３４  （螺旋状）側面
３５  終端部
３６  当接係止面
３７  外周面
４０  係合レバー
４１  本体部
４２  基端側ばね部
４３  係合ピン
４４  ピン
５１  スタート／ストップボタン（スタート／ストップスイッチ）
５２  リセットボタン（リセットスイッチ）
５３  作動カム
５４，５６  作動レバー
５８  時分発停レバー
６２，６４  発停レバー
６６  停止レバー
７２，７４  復針伝えレバー
７５  腕部
７６  溝
８０  復針レバー
８１  ピン
８２  案内溝
８３  案内用長孔
８４，８５，８６  腕部
８７  傾斜先端押さえ部
Ａ，Ａ１，Ａ２  並進方向
Ｂ１  押圧方向
Ｃ１  帰零時回転方向
Ｄ２  回動方向
Ｅ１  揺動方向
Ｆ１  押圧方向
【図１】
2009186259.tif 000003
【図２】
2009186259.tif 000004
【図３】
2009186259.tif 000005